(57)【要約】【課題】  仕様変更等によりかご室の重量が増加した場合でも、吊枠の交換を無くし、据付の手間と時間を省略化できるエレベータの釣合いおもり装置を得る。【解決手段】  昇降路に立設されたガイドレール間に配置され、上枠１、下枠２及び左右の縦枠３から成る吊枠４と、この吊枠内に積み重ね状態に多数積載された既設のおもり片５とを備えたものにおいて、上枠１の上部に積み重ね状態に積載され、タイロッド挿通穴が設けられた複数の追加おもり７と、上枠１に設けられ、タイロッド挿通穴が設けられたタイロッド固定部９と、タイロッド固定部のタイロッド挿通穴及び追加おもりのタイロッド挿通穴に挿通され、その上下端部を固定することで複数の追加おもりを固定するタイロッド１０とを備える。【選択図】    図１
2005219827.tif 000002
【特許請求の範囲】
【請求項１】
昇降路に立設されたガイドレール間に配置され、上枠、下枠及び左右の縦枠から成る吊枠と、この吊枠内に積み重ね状態に多数積載された既設のおもり片とを備えたエレベータの釣合いおもり装置において、
前記上枠の上部に積み重ね状態に積載された複数の追加おもりを備えたことを特徴とするエレベータの釣合いおもり装置。
【請求項２】
昇降路に立設されたガイドレール間に配置され、上枠、下枠及び左右の縦枠から成る吊枠と、この吊枠内に積み重ね状態に多数積載された既設のおもり片とを備えたエレベータの釣合いおもり装置において、
前記上枠の上部に積み重ね状態に積載され、タイロッド挿通穴が設けられた複数の追加おもりと、
前記上枠に設けられ、タイロッド挿通穴が設けられたタイロッド固定部と、
前記タイロッド固定部のタイロッド挿通穴及び前記追加おもりのタイロッド挿通穴に挿通され、その上下端部を固定することで前記複数の追加おもりを固定するタイロッドと、
を備えたことを特徴とするエレベータの釣合いおもり装置。
【請求項３】
昇降路に立設されたガイドレール間に配置され、上枠、下枠及び左右の縦枠から成る吊枠と、この吊枠内に積み重ね状態に多数積載された既設のおもり片とを備えたエレベータの釣合いおもり装置において、
前記上枠の上部に積み重ね状態に積載され、タイロッド挿通穴が設けられた複数の追加おもりと、
前記上枠に設けられ、タイロッド挿通穴が設けられたタイロッド固定部と、
前記タイロッド固定部のタイロッド挿通穴及び前記追加おもりのタイロッド挿通穴に挿通され、その上下端部を固定することで前記複数の追加おもりを固定するタイロッドと、
前記上枠に固定され、複数の追加おもりを前後両面から挟み込む側板と、
を備えたことを特徴とするエレベータの釣合いおもり装置。
【請求項４】
昇降路に立設されたガイドレール間に配置され、上枠、下枠及び左右の縦枠から成る吊枠と、この吊枠内に積み重ね状態に多数積載された既設のおもり片とを備えたエレベータの釣合いおもり装置において、
前記上枠の上部に積み重ね状態に積載され、複数のタイロッド挿通穴が設けられた複数の追加おもりと、
前記上枠に設けられ、複数のタイロッド挿通穴が設けられたタイロッド固定部と、
前記追加おもりの最上面部に配置され、タイロッド挿通穴が設けられたタイバーと、
前記タイロッド固定部のタイロッド挿通穴及び前記追加おもりのタイロッド挿通穴、もしくは、前記タイロッド固定部のタイロッド挿通穴、前記追加おもりのタイロッド挿通穴及び前記タイバーのタイロッド挿通穴に挿通され、その上下端部を固定することで前記複数の追加おもりを固定する複数のタイロッドと、
を備えたことを特徴とするエレベータの釣合いおもり装置。
【請求項５】
複数の追加おもりは、上枠上面の左右両側部にそれぞれ分けて積載され、
タイバーは、分けて積載された最上部の追加おもり間の上面部に跨って前後一対として設けられ、
前記左右の追加おもり及び前後のタイバーにより、上枠のほぼ中央に設置されるロープシャックル又は巻上ロープを取り囲むように配置したことを特徴とする請求項４記載のエレベータの釣合いおもり装置。
【請求項６】
追加おもり及びタイロッドは、上枠のほぼ中央に設置されるロープシャックルの上端と同一高さまで取り付け可能な構成であることを特徴とする請求項１〜請求項４のいずれかに記載のエレベータの釣合いおもり装置。
【発明の詳細な説明】
【技術分野】
【０００１】
この発明は、エレベータの釣合いおもり装置の改良に関するものである。
【背景技術】
【０００２】
エレベータのリフォーム時或いは新設時において、仕様変更等によりエレベータかご室の重量が増加した場合、釣合いおもりに増加相当分を積載する必要が生ずることがある。
しかし、釣合いおもりに追加おもりを積載するスペースが不足し、追加おもりを積載できない場合がある。この時、通常は釣合いおもりの吊枠を垂直方向長さが延長された吊枠に交換することにより、積載スペースを確保していた。
また、従来技術として、高さの低い昇降路に容易に設置でき、昇降路の設置費用、エレベータの製作費用を節減できるエレベータ用釣合いおもりが提案されている（例えば、特許文献１参照）。
【０００３】
【特許文献１】特開２０００−３３５８５１号公報
【発明の開示】
【発明が解決しようとする課題】
【０００４】
従来のエレベータの釣合いおもり装置では、仕様変更等によりかご室の重量が増加し、釣合いおもりに増加相当分を積載するため、釣合いおもりの吊枠を垂直方向長さが延長された吊枠に交換する必要があるが、この吊枠の交換は釣合いおもり装置の解体作業が必要であるため、据付に手間と時間が掛かるという問題があった。
また、特許文献１記載のエレベータ用釣合いおもりは、エレベータのリフォーム時或いは新設時において、仕様変更等によりかご室の重量が増加した場合、釣合いおもりに重量増加相当分を積載できるように考慮が払われたものではなかった。
【０００５】
この発明は、上述のような課題を解決するためになされたもので、その目的は、仕様変更等によりかご室の重量が増加した場合でも、吊枠の交換を無くし、据付の手間と時間を省略化できるエレベータの釣合いおもり装置を提供するものである。
【課題を解決するための手段】
【０００６】
この発明に係わるエレベータの釣合いおもり装置は、昇降路に立設されたガイドレール間に配置され、上枠、下枠及び左右の縦枠から成る吊枠と、この吊枠内に積み重ね状態に多数積載された既設のおもり片とを備えたものにおいて、上枠の上部に積み重ね状態に積載された複数の追加おもりを備えたものである。
【０００７】
また、上枠の上部に積み重ね状態に積載され、タイロッド挿通穴が設けられた複数の追加おもりと、上枠に設けられ、タイロッド挿通穴が設けられたタイロッド固定部と、タイロッド固定部のタイロッド挿通穴及び追加おもりのタイロッド挿通穴に挿通され、その上下端部を固定することで複数の追加おもりを固定するタイロッドとを備えたものである。
【０００８】
更にまた、上枠の上部に積み重ね状態に積載され、複数のタイロッド挿通穴が設けられた複数の追加おもりと、上枠に設けられ、複数のタイロッド挿通穴が設けられたタイロッド固定部と、追加おもりの最上面部に配置され、タイロッド挿通穴が設けられたタイバーと、タイロッド固定部のタイロッド挿通穴及び追加おもりのタイロッド挿通穴、もしくは、タイロッド固定部のタイロッド挿通穴、追加おもりのタイロッド挿通穴及びタイバーのタイロッド挿通穴に挿通され、その上下端部を固定することで複数の追加おもりを固定する複数のタイロッドとを備えたものである。
【発明の効果】
【０００９】
この発明によれば、上枠の上部に積み重ね状態に積載された複数の追加おもりを設けたので、エレベータのリフォーム時或いは新設時において、仕様変更等によりかご室の重量が増加した場合でも、吊枠の交換を無くし、据付の手間と時間を省略化できるという効果がある。
【発明を実施するための最良の形態】
【００１０】
実施の形態１．
図１はこの発明を実施するための実施の形態１におけるエレベータの釣合いおもり装置の正面図、図２は図１の平面図、図３は図１のＡ−Ａ線に沿った断面図、図４は追加おもりを示す斜視図、図５は図１の上半分を示す側面図である。
【００１１】
この発明の実施の形態１におけるエレベータの釣合いおもり装置は、１：１ローピングの場合を示し、昇降路に立設された一対のガイドレール（図示せず）の相互間に配置され、上枠１、下枠２及び左右の縦枠３が組み立てられた口字状を成す吊枠４と、この吊枠４内に積み重ね状態に多数積載された既設のおもり片５と、上枠１のほぼ中央部に固定されたロープシャックル６等とから構成されている。このロープシャックル６は、一端がエレベータかご（図示せず）に連結され、巻上機（図示せず）に巻き掛けられて昇降路内を垂下する主索（図示せず）の他端部に連結されている。
【００１２】
そして、上枠１上面の左右両側部には、それぞれ中央のロープシャックル６を避けるようにして複数の追加おもり７が積み重ね状態に積載されている。この追加おもり７の幅寸法Ｗ１は、既設のおもり片５の幅寸法Ｗ２とほぼ同等までとし、かつ追加おもり７の積載高さは、ロープシャックル６の上端と同一高さまで取り付け可能としている。また、左右に分けて積載されかつその最上部にそれぞれ位置する追加おもり７間の上面部に跨って前後一対のタイバー８が設けられている。この前後一対のタイバー８は、追加おもり７とともに、ロープシャックル６を取り囲むような構造としている。また、上枠１の下面両端部には３個のタイロッド挿通穴（図示せず）が設けられたタイロッド固定プレート９が水平方向に固定されている。また、各追加おもり７には、図４に示すように、３個のタイロッド挿通穴７ａが設けられている。また、上枠１の上面両側部には、その中央に１個のタイロッド挿通穴１ａが設けられている。また、前後一対のタイバー８の左右両端部には、それぞれ各１個のタイロッド挿通穴が設けられている。
追加おもり７を固定するタイロッド１０は、左右両側部に各３本ずつ設けられている。そして、左右両側部において、３本のうち中央に設けられる１本のタイロッド１０は、タイロッド固定プレート９の中央のタイロッド挿通穴から挿入され、上枠１のタイロッド挿通穴１ａ、及び積載された複数の追加おもり７の中央のタイロッド挿通穴７ａに通されている。この中央１本のタイロッド１０は、その上端部が追加おもり７の最上面部でナットにより固定され、その下端部がタイロッド固定プレート９でナットにより固定されている。
また、左右両側部において、３本のうち前後に設けられる２本のタイロッド１０は、タイロッド固定プレート９の前後のタイロッド挿通穴から挿入され、図３に示すように、上枠１の前後の外側面壁に接するように通され、更に積載された複数の追加おもり７の前後のタイロッド挿通穴７ａ、及び前後一対のタイバー８の各１個のタイロッド挿通穴に通されている。この前後２本のタイロッド１０は、その上端部が追加おもり７の最上面部でタイバー８とともにナットにより共締め固定され、その下端部はタイロッド固定プレート９でナットにより固定されている。なお、タイロッド１０の長さは、前述のように、追加おもり７の積載高さが、ロープシャックル６の上端と同一高さまで取り付けが可能な長さにされている。
以上のように、追加おもり７は、タイロッド１０及びタイバー８で固定することにより、地震時の脱落を防止することができる。なお、図中、１１はローラーガイドである。
【００１３】
実施の形態２．        
図６は、この発明の実施の形態２におけるエレベータの釣合いおもり装置の正面図、図７は図６の平面図である。
【００１４】
この発明の実施の形態２におけるエレベータの釣合いおもり装置は、２：１ローピングの場合を示す。なお、図中、実施の形態１と同一又は相当部分には同一符号を付し、その説明を省略する。
この実施の形態２における釣合いおもり装置は、上枠１のほぼ中央部には返し車１２が固定されている。そして、この返し車１２には、一端部を昇降路上部に固定され、エレベータかご及び巻上機（いずれも図示せず）に巻き掛けられた巻上ロープ１３が巻き掛けられている。なお、巻上ロープ１３の他端部は昇降路上部に固定されている。
【００１５】
実施の形態３．
図８はこの発明の実施の形態３におけるエレベータの釣合いおもり装置の正面図、図９は図８の平面図、図１０は図８の上半分を示す側面図である。
【００１６】
この発明の実施の形態３におけるエレベータの釣合いおもり装置は、１：１ローピングの場合を示し、実施の形態１と同一又は相当部分には同一符号を付し、その説明を省略する。
【００１７】
上枠１の左右両側部及び積載された複数の追加おもり７を、その前後両面から挟み込み追加おもり７のガタツキを防止する側板１４が取り付けられ、この側板１４の下端部は上枠１の左右両側部にボルト締めにて固定されている。また、追加おもり７間の上面部に跨って設けられた前後一対のタイバー８は断面Ｌ字状を呈しており、このＬ字状のタイバー８は、その水平な一辺で追加おもり７の最上面部を押さえるとともに、垂直な他辺で上記側板１４の上端部を外側から押さえ、ボルト締めにて固定されている。
追加おもり７を固定するタイロッド１０は、左右両側部中央に各１本ずつ設けられている。そして、左右両側部において、中央のタイロッド１０は、タイロッド固定プレート９の中央のタイロッド挿通穴から挿入され、上枠１のタイロッド挿通穴１ａ、及び積載された複数の追加おもり７の中央のタイロッド挿通穴７ａに通されている。この中央１本のタイロッド１０は、その上端部が追加おもり７の最上面部でナットにより固定され、その下端部がタイロッド固定プレート９でナットにより固定されている。
以上のように、追加おもり７は、タイロッド１０、タイバー８、及び側板１４で固定することにより、地震時の脱落を防止することができる。
【図面の簡単な説明】
【００１８】
【図１】この発明の実施の形態１におけるエレベータの釣合いおもり装置の正面図である。
【図２】図１の平面図である。
【図３】図１のＡ−Ａ線に沿った断面図である。
【図４】この発明の実施の形態１におけるエレベータの釣合いおもり装置の追加おもりを示す斜視図である。
【図５】図１の上半分を示す側面図である。
【図６】この発明の実施の形態２におけるエレベータの釣合いおもり装置の正面図である。
【図７】図６の平面図である。
【図８】この発明の実施の形態３におけるエレベータの釣合いおもり装置の正面図である。
【図９】図８の平面図である。
【図１０】図８の上半分を示す側面図である。
【符号の説明】
【００１９】
１  上枠
１ａ  上枠のタイロッド挿通穴
２  下枠
３  縦枠
４  吊枠
５  既設のおもり片
６  ロープシャックル
７  追加おもり
７ａ  追加おもりのタイロッド挿通穴
８  タイバー
９  タイロッド固定プレート
１０  タイロッド
１１  ローラーガイド
１２  返し車
１３  巻上ロープ
１４  側板
【図１】
2005219827.tif 000003
【図２】
2005219827.tif 000004
【図３】
2005219827.tif 000005
【図４】
2005219827.tif 000006
【図５】
2005219827.tif 000007
【図６】
2005219827.tif 000008
【図７】
2005219827.tif 000009
【図８】
2005219827.tif 000010
【図９】
2005219827.tif 000011
【図１０】
2005219827.tif 000012